(57)【要約】【解決手段】それぞれの上部に処理チャンバが積層され、さまざまなサイズのディスクを取るように調節可能なディスクキャリア上でディスクがシステムを通じて移動するところのディスク処理及び製造装置が記述されている。ディスクはロードゾーンを通じてシステムに進入し、その後ディスクキャリア内に装着される。ディスクはキャリア内にあって、ひとつのレベルで、処理チャンバを通じて連続的に移動し、その後、リフトまたはエレベータにより他のレベルへ移動する。他のレベルにおいて、再びディスクはシステムを通じて連続的に移動し、その後アンロードゾーンで出力される。
2006517324.tif 000002
【特許請求の範囲】
【請求項１】
基板を磁気ディスクに処理するための基板処理システムであって、
カセット内の基板を処理システム及び真空環境内に送り込むための入口と、
前記カセットから１枚ずつ基板を持上げるためのリフタと、
基板が垂直方向に維持された状態で、個々に基板を処理するよう互いに隣接配置された処理ステーションと、
個々の基板が処理されてステーションからステーションへ前記処理ステーションを通じて移動する際に、処理ステーション内に基板を運びかつ垂直位置に基板を保持するためのディスクキャリアと、
前記リフタ上の基板をディスクキャリアへ移送するための移送装置と、
処理ステーションから処理ステーション及びアンロードゾーンへディスクキャリアを移動するための移送パス及びドライブであって、前記アンロードゾーンはディスクの処理後にディスクキャリアから処理済ディスクを除去するための及び前記システムの外へ移動されるよう処理済みディスクをカセットに戻すためのリフタを有する、ところの移送パス及びドライブと、
から成り、
前記処理ステーションは処理ステーションの第１層上に配置された処理ステーションの少なくとも第２層と積層されて配置され、その結果、２つの処理ステーションに対するフットプリントはひとつの処理ステーションに対するフットプリントより実質的に大きくはなく、縦方向に配置された２つの処理ステーションのフットプリントより小さい、ところのシステム。
【請求項２】
請求項１に記載のシステムであって、処理ステーションの第２層は処理ステーションの第１層の上に配置され、処理ステーション内で実行される処理は磁気ハードディスクを製造する、ところのシステム。
【請求項３】
請求項１に記載のシステムであって、処理ステーションの第２層は処理ステーションの第１層の上に配置され、処理ステーション内で実行される処理は磁気光学ディスクを製造する、ところのシステム。
【請求項４】
請求項１に記載のシステムであって、さらに、システム内で被覆処理に晒されたキャリアをきれいなディスクキャリアに交換するために、ディスクキャリアにより処理ステーションを通じて移動する経路に沿って配置されたディスクキャリア交換ステーションを含む、ところのシステム。
【請求項５】
請求項１に記載のシステムであって、ディスクキャリアの移動経路は順に処理ステーションから隣りの処理ステーションまでであり、第１レベルから第１レベルの処理後に第２レベルまでがエレベータ内にある、ところのシステム。
【請求項６】
請求項４に記載のシステムであって、前記ディスクキャリア交換ステーションは処理シーケンスの始めにおいて処理の初期レベルに配置され、きれいなディスクキャリアはサイクルを完了したキャリアと交換され、新しいディスクを受け取り、順に配列する、ところのシステム。
【請求項７】
請求項４に記載のシステムであって、ディスクキャリア交換ステーションは、後の処理を汚染するディスクキャリア上の蒸着を生じさせる処理でディスクを処理した後の処理シーケンスの位置に配置され、きれいなディスクキャリアは表面への蒸着を有するディスクキャリアと交換される、ところのシステム。
【請求項８】
請求項５に記載のシステムであって、ディスクキャリアの移動の経路は、上部レベルへディスクキャリアを持上げるためのエレベータ内にあり、その後上部レベルで順に処理ステーションから隣りの処理ステーションまでであり、上部レベルから上部レベルでの処理の後に下部レベルまでがリフト内である、ところのシステム。
【請求項９】
磁気ハードディスクを製造するための結合処理システムであって、
磁気ハードディスクを製造する際に使用される被覆材料で垂直位置の基板を処理するための積層型処理ステーションセットであって、処理ステーションは処理ステーションの他の層の上に配置された処理ステーションのひとつの層として直線的に配置されており、その結果第２ステーションは第１ステーションのすぐ上にある、ところの積層型処理ステーションセットと、
磁気ハードディスクを製造する際に使用される被覆材料で基板を処理するための円型処理ステーションセットと、
積層型処理ステーション内で処理された基板を、円型処理ステーションへ移送するための送り装置と、
から成るシステム。
【請求項１０】
請求項９に記載のシステムであって、円型処理ステーションは中央真空装置の周辺にある、ところのシステム。
【請求項１１】
請求項９に記載のシステムであって、ディスクは積層処理ステーションのひとつのレベルを通じて連続的に移動し、その後円型処理ステーションを順に移動し、その後積層処理ステーションの他のレベルを通じてシステムを出る地点まで連続的に戻る、ところのシステム。
【請求項１２】
磁気ハードディスクを製造するための基板処理システムであって、
処理用基板のカセットを真空ロードロックを通じて大気状態から真空環境へ送るためのロードステーションと、
処理済の被覆磁気ディスクをカセット内へ戻し、真空ロードロックを通じて真空環境から大気状態へ戻すためのアンロードステーションと、
ロードステーションにおいてカセットから個々に基板を持上げ、基板がディスクキャリア内に配置されるところの第１ステーションへ基板を移送するためのリフタブレードと、
垂直位置で基板を保持しかつ基板を処理ステーションへ運ぶためのディスクキャリアと、
ディスクキャリア内の基板を処理するための処理ステーションと、
プログラムされた間隔で、ステーションからステーションへディスクキャリア内のディスクを移動するための移送システムと、
処理ステーションは２つのレベルで配置されており、一方が他方の上にあるところの処理ステーションと、
ディスクキャリアを第１レベルから第２レベルへ上下するための少なくともひとつのディスクキャリアと、
処理ステーションから処理ステーションへディスクキャリアを横及び垂直方向に移送し、ディスクキャリアをアンロードステーションに戻すための移送システムであって、真空ロードロックを通じてカセットを移送することによりアンロード開口を通じて真空環境から大気状態へ移送用アンロードカセット内のディスクを配置するよう、ディスクがディスクキャリアからリフタブレードへ移動される、ところの移送システムと、
から成るシステム。
【請求項１３】
請求項１２に記載のシステムであって、処理ステーション内のディスクキャリアは、処理ステーション内で処理されている間、連続的に移動される、ところのシステム。
【請求項１４】
請求項１２に記載のシステムであって、任意のステーション内に配置されたディスクキャリア上のディスクが、システムの単一処理ステーション内での処理時間と結合処理ステーションの数との倍数と実質的に等しい時間間隔の間、ステーション内で実行される処理に従い処理されるように、ひとつまたはそれ以上の処理ステーションが内部接続されている、ところのシステム。
【請求項１５】
磁気ハードディスクを製造するための基板処理システムであって、
基板のカセットを大気状態からロードステーション内に送り込み、被覆済み磁気ディスクのカセットをアンロードステーションからシステムの外の大気状態に送り出すためのスロットと、
ロードステーションにおいてカセットから基板を持上げ、基板がディスクキャリアに配置されるところのステーションへ基板を移送するためのリフタブレードと、
垂直位置で基板を保持し、処理ステーションへ基板を運ぶためのディスクキャリアと、
ディスクホルダ上の基板を処理するための処理ステーションと、
プログラムされた間隔で順にステーションからステーションへディスクキャリアを移動するための移送システムと、
処理ステーションの第１レベルから処理ステーションの第２レベルへ、ディスクキャリアを持上げるためのディスクキャリアリフトと、
から成り、
処理ステーションは２つのレベルに配置されており、ひとつのレベルが他のレベルの上にあり、移送システムは処理ステーションから処理ステーションへ横方向にディスクキャリアを移送し、かつひとつのレベルから他のレベルへディスクキャリアを垂直方向に移送する、ところのシステム。
【請求項１６】
請求項１５に記載のシステムであって、さらに、システムを通じてキャリア上を移動するディスク上に被覆蒸着される間、システム内で使用されたキャリアをきれいなキャリアと置換することによりディスクキャリアを交換するためのステーションを含む、システム。
【請求項１７】
請求項１６に記載のシステムであって、ディスクキャリアが開放され、その後ディスクがディスクキャリアのジョーの間に配置され、処理ステーションを通じてディスクを運ぶためのディスクキャリア内のディスクをつかむためにジョーが閉じる、ところのシステム。
【請求項１８】
請求項１７に記載のシステムであって、ディスクは移送機構により、リフタブレードからディスクキャリアへ移動され、それは中央開口部内でディスクを保持することによりディスクを移送する、ところのシステム。
【請求項１９】
請求項１に記載のシステムであって、ディスクキャリアは一枚以上のディスクを運ぶ、ところのシステム。
【請求項２０】
ディスクをつかみ、かつ真空処理ステーションを通じてそれを運ぶためのディスクキャリアであって、異なるサイズのディスクの運搬に使用できるように、調節可能な伸張部がキャリアのジョーの内側に取り付けられている、ところのディスクキャリア。
【請求項２１】
他のディスク処理チャンバの上に配置されるよう設置されたディスク製造システム用の処理チャンバであって、
チャンバを真空排気するためにチャンバ上に配置されたターボ分子ポンプと、
隣りのチャンバに取り付けられるように配置された一方側の開口部と、
チャンバ内での処理中に、他のチャンバから当該チャンバを分離するためのもう一方側の分離バルブと、
チャンバへのディスクキャリアの出し入れを補助するためのチャンバベースにある磁気手段と、
チャンバ内に配置されたディスクの両側の処理が可能となるように、チャンバの正面及び背面に配置された処理ソースと、
上部ディスク処理チャンバ内でのディスクの処理または移送中に、下部チャンバ内のディスクキャリア内で他のディスクを処理できるように、下部チャンバから下へ伸びた真空ポンプを有する、当該チャンバ下に配置された同様のチャンバと、
から成る処理チャンバ。
【発明の詳細な説明】
【技術分野】
【０００１】
本発明は、磁気ディスクを作成する際に使用される基板のような薄い基板を扱いかつ処理するためのシステム及び処理方法に関する。特に、本発明は、いくつかの処理ステーションにおいて、さまざまな被覆技術を使用する際に、両面同時に基板処理するための改良されたシステムに関する。
【背景技術】
【０００２】
２００２年７月１日付けニューヨークタイムズでディスク生産者が説明するように、家庭に持ち帰るためのプラスチックトレイは、現在のコンピュータハードディスクよりも粗利益が高い。しかし、我々は、今日、複雑なコンピュータチップと同じくらい多くの技術を含むディスクを要求する。本発明はこのようなディスク製造の改良に関し、より高度なディスク技術の創造及びコスト低減を可能にする。
【０００３】
米国特許第5,215,420号及び第5,425,611号は、ディスク製造に使用される基本的な装置を説明する。この装置は、MPD250と称し、カリフォルニア州サンタクララのインテバック・インコーポレイテッドより購入することができる。装置は、メインチャンバ、搬入出ロードロック、基板ロード及びアンロードステージ、及び複数の処理ステーションを含む。ディスクはシステム内に送り込まれ、処理ステーション内で処理され、その後コンピュータのハードディスクのような使用に適したディスクとしてシステムから送り出される。MPD250の開発以前には、米国特許第4,981,408号に記載されるようなカリフォルニア州パロアルトのバリアン・アソシエイツから入手可能であった装置が存在した。他に、日本のアネルバ・コーポレイションのC-3040がある。装置の目的のひとつは、基板上により厚い膜を蒸着することである。このシステムを記載する特許は、米国特許第6,027,618号、第6,228,439B1号及び第6,251,232B1号である。これらの特許文献はここに参考文献として組み込まれる。
【０００４】
これらの従来技術のひとつの欠点は、かなり大きなフットプリントを占めることである。そのいくつかは非常に長い。他にも概して長方形の面積を占め、一部屋全部である。ディスク製造用のこれらの装置は典型的に大きいサイズのクリーンルーム内で実行されるため、装置は過剰に大きくなりかつ非常に高価なクリーンルームを必要とする。
【０００５】
近年、技術に進歩に従い、オリジナルのシステムにアドオンを追加することが必要になってきた。例えば、このようなアドオンのひとつが、ツールから除去される前に、ディスクを潤滑させるための潤滑油ステーションである。これは、米国特許第6,183,831B1号及び２０００年５月１日出願の米国特許出願第09/562,039号に記載されている。他は、プラズマ強化CVDを使ってダイヤモンド状被覆を形成するために炭素の蒸着を扱わなければならない。これは、例えば、米国特許第6,101,972号、6,203,862号及び6,368,678B1号に記載されている。
【特許文献１】米国特許第5,215,420号
【発明の開示】
【発明が解決しようとする課題】
【０００６】
放射状システムにおいて、装置の一部として機能することができる処理ステーションの数に関して限界が存在する。典型的に、既存のシステムは約１２個のステーションに制限される。ステーションを付加するには、装置の大幅な設計変更が必要となり、工場は、より多くのステーションを有するシステムがそのフットプリントをかなり増加させることを容易に予想できる。これらのシステムにおいて、概して、装置のさまざまなステーションへ基板を運ぶのに同じ基板ホルダが使用される。基板ホルダを変えることが必要または所望されるなら、システムの動作停止及び生産停止が必要になる。また、基板が動いている間にこれらのシステム内で処理を行うことは不可能であり、これによりパスバイモードで蒸着が実行される際に非常に薄い層の蒸着が禁止される。
【０００７】
線形機械は放射状システムが経験したのと同じ種類の問題を有する。それは大きなフットプリントを有し、基板ホルダを変更するにはシステム及び生産を停止する必要がある。任意のアドオンはフットプリントを拡張し、ステーション数が設備の空間的制約により制限される。
【課題を解決するための手段】
【０００８】
本発明の好適実施例は、比較的小さいフットプリントを有する構造において高いスループットで、両面同時に、垂直位置で、基板を処理するシステムである。システムはフレキシビリティを有し、処理ステーションの付加を許す。システムは、基板キャリアがある処理ステーションに制限され、その後クリーンキャリアが他のステーションで使用されるべく交換されるように分割されている。これは、従来の装置では不可能であり、この特性により通常キャリア上に蒸着し後続の処理ステーションを汚染する処理を使って、基板を被覆することが可能になる。当該システムはスタンドアロンタイプであるか、または他のシステムの能力を拡張するために他のシステムに接続されてもよい。システムアーキテクチャーは、基板が処理中に固定されているところの静的処理及び基板が処理中に移動するところのパスバイ処理の両方を可能にする。本発明のアーキテクチャーは、装置のスツープットを増加させる技術的要求の変更に従い、付加的処理が基板上で実行されるよう、フットプリントを実質的に変更することなく付加的ステーションを追加することを可能にする。他の修正により、装置のフットプリントを変更することなく、生産力を二倍またはそれ以上にするよう、それぞれの処理ステーション内で一枚以上の基板を保持するホルダに基板ホルダを交換することが可能になる。これら及び他の利益及び改良は以下の詳細な説明で議論される。
【発明を実施するための最良の形態】
【０００９】
従来の基板処理システムが図１に示されている。ここで、同じ構成要素は同じ符号で示される。図１に示されるように、システムは処理装置10及び基板ハンドリングシステム20を有する。処理装置10は、メイン真空チャンバ40上に設置された複数の処理ステーション30、32、34等を含む。処理ステーション30、32、34等はメイン真空チャンバ40の円中心に関して円形配列で設置されている。さらに、処理装置10は、処理用システム内に基板を搬入するためのロードステーション42及び処理済のシステムから基板を搬出するためのアンロードステーション44を含む。典型的に、基板は磁気ハードディスクを作成するためのまたは磁気光学ディスクを作成するための基板である。基板及び最終的なディスクは中央開口部を有する。さらに、基板処理システムは、真空ポンプ、電源及び制御器（図示せず）を含む。
【００１０】
処理は、システム要求に応じて、同じかまたは異なる処理ステーション30、32、34等内で実行される。図１の例において、システムは等角間隔に配置された１２個の処理ステーション、ロードステーション42及びアンロードステーション44を有する。処理ステーションは、磁気ディスクを製造する際に従来技術で採用されるような、ひとつまたはそれ以上の加熱ステーション、スパッタステーション、冷却ステーション、化学気相成長ステーション等から成る。基板は、一枚ずつ各ステーションで同じ時間の間連続して移送され、処理ステーションにより処理されるようにシステムを通じて移動される。基板ホルダは、処理ステーション及び中央チャンバ内の汚染を避けるように、処理動作中、メイン真空チャンバから処理ステーションをシールする。
【００１１】
メイン真空チャンバ40内には、複数の基板グリッパまたはディスクグリッパが、それぞれの処理ステーション内で持ち上がるように各処理ステーションに関して配置されている。基板ハンドリングシステム20は、バッファ真空チャンバ90、ロードロック92、入口コンベア94、アンロードロック96及び出口コンベア98を含む。処理用基板を運ぶカセット100a、100b、100c、100dはロードロック92を通じてバッファ真空チャンバ90内に入り、アンロードロック96を通じてバッファ真空チャンバ90から出る。この構成において、ロードアーム102はカセット100bからロードステーション42内のディスクグリッパまたはリフタ70へ基板を移送する。アンロードアーム104はアンロードステーション44内のディスクグリッパまたはディスクリフタ70からカセット100cへ基板を移送する。基板ハンドリングシステム20は、ここに参考文献として組み込む上記米国特許第5,215,420号に詳細に説明されている。
【００１２】
図２において、本発明に従うシステムの好適実施例が示されている。このシステムは、処理ステーションの第２レイヤーが処理ステーションのベースレイヤーの上に配置された状態で、積層関係の多くの処理ステーションから成る。これには、図１に示されるような従来技術に見られる大きな中央真空メインチャンバが存在しない。それにより、システムを通じて被処理基板を移動するための制御された循環が可能になる。それは、従来のシステムにより占有されていたフットプリントをかなり減少させ、より多くの処理ステーションを稼働させることが可能である。それにより、大きなフットプリントを有する従来技術で実行されていた作業と同じ数の作業を、非常に小さいフットプリントで実行でき、またはより多くの数の処理作業をシステムを通過する基板上に施すことが可能となる。さらに、以下の図面に関して説明されるように、各ステーションで実行される処理用の個別雰囲気を形成するよう、ターボ分子またはクライオポンプのような真空ポンプにより、各処理ステーションは別々に排気される。
【００１３】
図２を参照して、２３個のステーション処理システムが図示されている。実際に、ステーションの数はより多くも少なくもできる。ステーションは101〜123で示される。125で示されるシステムをロードするために、基板のカセットがロード／アンロード孔126に送り込まれる。カセットは、経路に沿って、ロード／アンロードステーション129でのポジションへ移動する。ディスクキャリア（図４A参照）はロード／アンロードチャンバ129内に移動し、そこでアンロード側の移送機構は、処理サイクルを通過したディスクキャリア内のディスクを内側ホールによりグリップする。その後、ディスクキャリアのジョーが開放され、処理済の基板がディスクキャリアから除去され、図１の従来技術で説明されたものと類似のリフトブレードへ移送される。その後、リフトブレードは基板またはディスクをカセット内に配置する。ロード側からこの同じロード／アンロードステーション129において、従来技術と同様のリフトブレードがカセットから基板またはディスクを持上げ、ロードチャンバ内に上げる。搬送機構はリフトブレードからディスクをディスクキャリアへ移送し、そこで、ジョー134及び136はディスクキャリア内でディスクをグリップするよう閉じる。その後、ディスクキャリアはエレベータ128へ移動し、処理ステーションの上部セット近くであってステーション101のすぐ隣りのレベルまで持上げられる。その後、基板及びキャリアは一単位として移動し、ステーション101内へ移送され、そこでディスクの処理が開始される。その後、基板130及びディスクキャリアの単位は処理ステーション102の隣りに移動する。ステーション102での処理の後、基板及びディスクキャリアはステーション103の隣りへ移動し、そこでディスクは付加的な処理作業を実行される。ディスクキャリア上の基板は、101から単位がエレベータ131に入るところの112まで上部レベルに沿って、ひとつの処理チャンバから次へと直列に移動する。その後、単位は下部レベルまで下げられ、ステーション123から113へ戻る。それに沿って、ディスクは、製造要求に従って処理される。例えば、基板搬入システムはディスクが晒される処理を考慮する際ある意味で浸水しているので、エレベータチャンバはディスク及び真空システムから水分を除去するための水ポンプまたはマイスナートラップのような冷却トラップを含む。第１ステーション101において、ディスクは被覆処理を実行する前にプレコンディショニングを続けるべく加熱される。
【００１４】
電力制御器132が処理ステーションの上下に配置されている。しかし、それらはシステムの端部に配置される。システムが電力集中処理用に多数の制御器を要求する場合、制御器は別々のキャビネット内に配置される。図２に示されるように、システムは、システム125の左側のオペレータステーション133でのエントリーにより駆動され、プログラムされる。ステーション127はロード／アンロードステーションとして記述されているが、実際には、ステーション123の隣りの他端で実行されるアンロード動作を有するシステム内に基板をロードするよう作用するのみである。アンロードステーションはロードステーションと対向する位置にユニットの裏側に見られる。これは、以下の図面においてよりはっきりと示される。基本的に、それはロードステーションに見えるが、システムをアンロードするよう機能する。ディスクまたは基板を保持するディスクキャリアはアンロードステーションに移動する。ジョー134、139が開いてディスクを移送機構へ開放し、移送機構はジョーからディスクを取る。移送機構は図１の構造で使用されるようなシステムかまたは以下で議論されるようなシステムである。移送機構は、ロードステーションで使用されるようなロードブレードまたは図１で使用されるロードブレードと一致するアンロードブレードへディスクを移送し、そこでディスクはカセットのロード側へ下げられる。
【００１５】
図２は２３個のステーションを有するシステム125を示す。しかし、特定の磁気ディスクの製造が処理済ディスクに実行された処理より少ない処理を要求するならば、２３個またはそれ以上のステーションのシステム全部が要求されないか、または基板が制限された集合のアクティブな処理ステーションのみを通過するよう制御されるか、あるいはすべての処理ステーションが動作状態ではなくなる。変形的に、より小さいシステムが使用されてもよい。このようなシステムは例えばより少ない処理ステーションを含む。中央真空チャンバに依存しかつ円形構成を有するシステムと積層システムを合体させることも可能である。このような構造の利点は、制限された付加的面積またはフットプリントで磁気ディスクを形成する際に実行されるべき付加的または新しい処理が可能になるよう、製造者が本発明のシステムへ既存の装置を結合することが可能になるという点である。この点は以下の図６との関連でさらに議論される。
【００１６】
図３には単一の処理モジュール135が示されており、図４Aにはディスクキャリア136が基板130とともに示されている。図４Bには、ロードステーションにおいてキャリア内にディスクを移送するための及びアンロードステーションにおいてキャリア外にディスクを移送するための機構が示されている。図４Cには機構の他の図面が示され、図４Bにはディスクキャリアとキャリア上のディスク配置の関係がより詳細に示されている。
【００１７】
図３には、ディスクキャリア136が処理モジュール135内に配置されて示されている。分離バルブ144及び分離バルブドライバ145はチャンバ135の開口部129を開閉するよう動作する。基板130はディスクキャリア内に配置され、移動中ディスクキャリア内の定位置に保持される。基板は、内側ホール及びグリッパーアクチュエータ、並びにアンロードするためにディスクがグリップされた後またはロードするためにグリップが解かれる前にキャリアジョーを開くグリッパーアクチュエータ機構によってディスクをグリップする移送機構により、さまざまな処理チャンバ内での処理に従ってリリースされる。これらの動作は図４B及び４Cに示される。
【００１８】
図４Bでは、基板のカセット202がロードドア204を通じて移送区画201内に送り込まれている。この位置で、基板は真空環境にある。処理済基板がアンロードゾーン207でアンロードされて移送ステーション201を離れてカセットに戻り、アンロードドア208を通じて移送ステーション及びカセットホルダ内の器具から除去されるまで、基板はこの位置ですべての操作中に真空環境のままである。ディスクのカセット202はこのサブシステムのロード区画の位置で示されている。カセットホルダは、カセットホルダ202の外部の上部移送ゾーン203を通じて、基板がディスクキャリア内にロードされるところのディスクロードゾーン205へ持上げられるような位置へ基板を配置するようカセットホルダを移送するホイール206上に乗っている。上記したようにディスクは、図１に示される従来のシステムで使用されるリフタと類似のディスクリフタによりカセット外部に持上げられる。この場合、リフタは開口部222を通じて上に移動し、カセットを通じて基板と係合し、その後、移送ゾーン203を通じて基板を持上げてディスクロードゾーン205内へ移送する。基板を受け取るカセット224へ被覆済み基板を戻すのに同様のリフタが使用され、カセットは基板のロードが完全に終了した後移送ステーション201を出る。リフタは基板をアンロードゾーンから取り出し、アンロード側の経路を通じて下へ移動し、その後基板をカセットに残し、リフタアームは開口部223を通じて移動する。
【００１９】
基板は、最初に、移送ゾーン203の上のロードゾーン内に到達する。その位置で、ピックアップアーム210が外側に基板中央の穴の中に移動する。このアーム210は基板の中央区画に挿入されたクリップにより基板と結合し、基板中央の穴または開口部の内側エッジをつかむ。その後、アーム210は図に示される位置まで戻り、そこでディスクキャリアのジョーを順に開放する機構211を作動させる。その後、ディスクキャリアジョーはディスクまたは基板の周りに配置され、ピックアップアームからディスクを除去し、ディスクをつかんでさまざまな処理装置を通じてディスクを運ぶ。
【００２０】
図４Cは図４Bに示されるディスクロード／アンロード区画の側面図である。図において、ディスクキャリア136は側面図で示されている。この図において、移送ドライブ区画212内に配置されたホイール137が見える。ホイールはシステムを通じてディスクキャリアを移送するのに使用される。ディスクキャリアは、一部が各チャンバのベースに配置され、一部が嵌合構造体として各ディスクキャリア216のベースに配置された磁気ドライブシステム212により処理チャンバから処理チャンバへ移動される。各ディスクキャリア及び各チャンバは、磁気ドライブシステム212による動作用の個別移送エレメントを有する。このシステムのホイールはロータリー真空フィードスルーを利用した通常のモーターにより駆動されるが、リニアモーターと置換されてもよい。ディスクキャリアは、キャリアベース216内に設置された４００シリーズのステンレススチールのような軟質磁性材料により移動される。図４Cの下側区画に示されるのは、下部チャンバ内のカセット202の側面図である。
【００２１】
基板130の挿入を可能にし、アンロードゾーン207内に処理済基板を解放するように、ディスクキャリア136を開放するべく作動される磁気作動システム211が示されている。このような磁気システムが４つ示されている。しかし、基板ホルダのジョーを開閉する目的を達成するために、これ以上または以下の磁気システムが使用されても良い。
【００２２】
基板の周囲にはハロー構造体213がある。この構造体はディスクキャリア136に取り付けられ、直径が異なる基板の処理を可能にする。例えば、ハロー構造体は、サイズの異なる処理用基板がホルダ内に配置可能となるように、広げられまたは狭められ、あるいはディスクキャリアから除去される。ディスクキャリア内のディスクまたは基板は、ハロー構造体213のエッジで保持されるか、もしそれが使用されない場合にはディスクキャリア136自身により保持される。
【００２３】
図５Aは、処理動作がシステム125内で実行されるところの典型的な処理チャンバ135の構造を示す。ディスクホルダは上部開口内にディスクを配置する。完全に組み立てられた状態で側面140は、隣りのチャンバ及びシステムの残りの部分から当該チャンバを分離するための分離シールを含む。冷却トラップ、真空ポンプまたは機器が頂部開口142に配置される。チャンバ用の主要真空ポンプは分離バルブボディ上でチャンバに隣接して配置され、開口140を通じて排気が行われる。好適実施例において、各チャンバは、各チャンバ内に均一かつ制御された真空環境を維持するためのクライオ、ターボまたは他の適当なポンプを有する。背面開口部及び正面開口部は、被覆または処理すべき基板の両側にターゲットとしてのソースを配置するために、スパッタ蒸着を実行するチャンバと関連して使用される。他の処理装置が、処理チャンバを包囲するチャンバ壁となるように、これらの開口部に配置されてもよい。ベースでの開口部には、ホイール及びディスクキャリアの下部領域、開口部を閉じるためのシール及び移送用のドライブモーター163が配置されている。
【００２４】
図５Bは処理ステーションの各部のエレメントを示す。チャンバフレーム135に設置された２つのスパッタリングソースとともに、頂上にはターボポンプ149が示されている。図面にはまた、右側でこのチャンバをシールする分離バルブ144が見える。左側には、このチャンバを他のチャンバまたはエレベータに取り付けるための開口部129が示されている。通常隣りのチャンバは、チャンバが互いに分離されるように、このチャンバに取り付けられる側に分離バルブを有する。
【００２５】
図６Aを参照して、円形システム147に接続された積層システム146が示されている。この結合装置は完全な処理システムであるか、または従来商業的に使用されている既存のシステムと連絡する積層型処理ステーションを与えることにより、既存の円形装置により多くの処理能力を付加することが可能である。この装置において、処理ステーション151を有する円形部分147は、レール144により支持され、チャンバ151から次のチャンバへ基板を移動することにより連続的に基板を処理する。装置146の第１区画は線形処理ステーションを示す。これらは、処理チャンバの上部に取り付けられた真空ポンプ149により識別される。上部処理チャンバが示されているが、システムはユーザーの要求及び／または所望に応じてこれ以上または以下のこのようなステーションを構成することが可能である。図６Aに示されていないが、この区画146は真空ポンプ149に結合されたステーションの下の下層処理ステーションを含む。これは図６Bに示されている。真空ポンプは各処理チャンバごとに存在する。同様の真空ポンプが積層146の下側部分の処理チャンバ用に下側に伸びる。これもまた図６Bに示されている。スクリーン148及びキーボード150は装置の動作を制御するためのオペレータステーション133を構成する。円形システム147は真空ポンプが取り付けられた単一の処理チャンバを含む。図１に示されるようなシステムに積層型フロントエンド区画146が結合されると、区画146のディスクキャリア内の基板は、基板ハンドリングシステム内にディスクを移送するか、またはロードステーション42でディスクグリッパ70へ移送しその後システム内に送られる。
【００２６】
図７A〜Eは、図２に示される積層システムを通じてどのようにディスクが移動するかを示す一組の図である。図７は５つの異なる図から成る。ここでは、処理チャンバ内でディスクがどのように配置されるか、及びステーション間でディスクがどのように移送されるかが示されている。図中、ディスクは転々と移動するため、ディスクには1〜5及び18〜25の符号が付されている。図７Aにおいて、ディスク1は下部またはエレベータ128の入口にあり、ディスク2はエントリーステーションにある。基板3、4及び5は装置へのエントリーを待っており、ディスクキャリア内への移送を待っているカセット内に通常配置される。図７Bにおいて、エレベータは処理チャンバに搬入する位置のトップレベルまでディスク1を移動し、ディスク18は図４A〜Cとの関連で説明されたようなディスクキャリアから分離されている。その後、それはアンロードカセット内にアンロードされる。この図でディスク2は図４A〜Cとの関連で説明されたロードステーション内のディスクキャリアにロードされている。図７Cにおいて、ディスクキャリア内に載置されたディスク2がエレベータ内に移動する間、ディスク1はディスクキャリアにより第１処理ステーションに移動され、被覆処理が完了した基板18はシステムの外へ送り出される。ディスク3はシステムにエントリーするために配置され、ディスク19は出る準備ができており、ディスクキャリアから分離されている。図７Cに示された他のディスクは、システムを通じて移動する。処理ステーションの上層において、ディスク25、24及び23はひとつ右のステーションに移動し（図７Bの位置と比較して）、ディスク1は処置ステーション内に移動する。上層の最も右位置にあるディスク22が下方に移動し、その結果ディスク22は下層の最も右側の位置を占め、下層の他のディスクはひとつ左のステーションに移動する。図７Dにおいて、新しいディスク4がシステムに入る準備ができ、一方ディスク20はシステムを出るところである。上層のディスクがすべてひとつ右のステーションに移動し、最終ディスク23が下層ステーションに下降する。図７Eにおいて、ディスク5がシステムに入るところであり、ディスクキャリアに載置されたディスク4がエレベータ上にあり、ディスク3により占有されたエントリーステーションまで移動する準備ができた。ディスクは上記図面に示されたルートに従い上下移動し、ディスク20はシステムから出る。この構造及びプログラムに対するサイクルのこの時点で、図７Aでシステムへのエントリーを待っていたすべてのオリジナルディスク3、4及び5は搬入され、３つの新しい基板6、7及び8がエントリーを待っている。またこの時点で、ディスク18、19及び20の処理が完了し、システムから除去されている。システムは左右両側にエレベータを有する。左側のエレベータは処理チャンバの上層レベルまでディスクを移動し、右側のエレベータは処理用のディスクを下層レベルまで下げ、ディスクは下層処理レベルに沿ってエントリーポイントまで戻りその後システムから出る。
【００２７】
図８A〜Eを参照して、システムは、ひとつの装置から他の装置へ基板を移動するためのスイングアームを有する２つの装置として示されている。基板はそれが従う経路及び移動を単純化するために符号が付されている。図８Aにおいて、基板6、7及び8はシステムに入るのを待つ位置にある。基板10及び11は処理され、装置から取り出されている。基板12は図８Bで処理済基板と一緒にされ、基板25が、スイングアーム153により左側の積層処理ステーションから右側の他の積層処理ステーションへ移動される。図８Eにおいて、基板6、7及び8がシステム内にあって処理されており、基板12及び13がシステムから出され、処理済ディスクと一緒にされ、それらはカセットホルダ内に再配置される。図８AからEに示されるように、ディスクはステーションからステーションへ移動する。
【００２８】
図９において、キャリア交換モジュール156が示されている。さまざまな処理ステーションにおいて基板処理中に存在するキャリアは、処理ステーションで蒸着される材料により被覆される。例えば、典型的な製造プロセスにおいて、磁気ハードディスクを作成するために、アルミニウム基板に、スパッタ技術を使ってまずクロム層が被覆され、次にコバルト合金が蒸着され、次に磁気ディスクを製造するために製造プロセスに従いユーザーにより決定される他の層が蒸着される。蒸着の最終段階は、例えば米国特許第6,368,678号に記載されるようなプラズマ強化化学気相成長を使って、ダイアモンド状の被覆を形成することに基づくものである。クロム、コバルト及び炭素がすべて同じ基板上に蒸着されるシステムにおいて、各処理に同じキャリアが使用されれば、キャリア上に不所望な材料の付着が生じる。これはそれ自身問題ではないかもしれない。しかし、キャリア上に蒸着された材料が後の処理工程の間に剥がれ落ち、その結果、信頼できないかまたは他の製品と同一でない製品を作るように、部分的に被覆された基板への新しい蒸着が妨げられまたは損なわれれば、問題である。この問題が発生するのを避けるために、本発明のシステムは基板の処理が実行される前にキャリアを新しくきれいなものに交換することができるよう戦略的に配置されたステーションを含む。図９はこのような交換モジュールを示し、図１０A〜Dはキャリア交換シーケンスを示す。始めに、きれいなキャリア155が交換モジュール156内にロードされる。処理ステーション内でのキャリアの設定使用回数または特定の処理工程及び／または蒸着にキャリアを晒す設定回数の後に生じるようシステムにプログラムされた手動または自動送りによって、新しいキャリアがロードされる。後の作業及び被覆基板自身に有害な効果が生じる前に不純物が除去されるように、まず、キャリア交換モジュール内できれいなキャリアが予め調整される。キャリア交換モジュールは線形構造体の一方の端部または両端の同等な位置に配置される。例えば、それは、図８Aにステーション156及び159として示されるように、エレベータの向う側に存在する。同様のステーションが図８A〜Eに示されるスイングアームの位置に配置されてもよい。この構造により、ディスクが処理チャンバの第１セクションから第２セクションへ移動する際に、ディスクキャリアの変更が可能になり、その結果、ディスクが第２セクションに入るとき、ディスクは予めきれいにされたディスクキャリアにより装置の第１セクション内での処理から効果的に分離される。図８Aに示されるように配置される際、ディスクキャリアは、ディスクキャリアからディスクを移送した後にクリーニング用モジュールを入れることにより、運転停止して移送される。図９には、真空ポンプ149及び分離バルブ144が示されている。これらにより、汚染が生じることなく、キャリア交換モジュール156をシステムへ直接接続することが可能になる。この構造は、図８Aの156または159に示される位置に配置されるか、またはキャリアが交換されなければ汚染が生じるような他の任意の位置に配置される。既存の装置に結合する図６Aに示される装置は、線形装置146からディスクが移動する際にディスクキャリアから離れたディ���クの手渡しを要求し、ディスクキャリア内のディスクは円形装置147へ移送され、ディスクはディスクキャリアまたは円形システム内にエントリーする際にディスクが配置されるカセットから持上げられる。ディスクがリフタ上に配置されると、その後ディスクはペデスタル方式の従来のキャリアへ手渡され、カセットへディスクを戻すためにまたは線形システム146内でさらに処理するようディスクキャリアへディスクを渡すために、リフタへ戻されるまでキャリアはシステムを通じてディスクとともに移動する。図９に示されるようなステーション156は、セクション146を通じたディスクの移動が完了しセクション147へ入る際に、キャリアからディスクを分離するためにこの位置に設けられる。同様に、ディスクのセクション147を通じた移動が完了しセクション146へ入る際、ディスクは図９と同じステーションできれいなディスクキャリアへ装填される。
【００２９】
図１０において、キャリア交換モジュールがエレベータ128の向う側に配置されている。図１０のシステムは、新しいキャリアが準備されるとキャリアをスキップロードするようプログラムされる。新しいキャリア155はスキップロードされたキャリア157と置換するために使用される。これは最初のチャンバ内の空キャリア157により示される。空キャリアはエレベータ128により上方に移動する通常のシーケンスに従う。これは図１０Bに示される。図１０Cにおいて、キャリアの交換が示されている。きれいなキャリア155が交換されたキャリア157と置換され、図１０Dに示されるようにきれいなキャリアが通常のフローサイクルで移動し、クリーニングが必要なキャリア157がクリーニングされ、その後交換が必要な次のキャリアと置換するのに使用するべく交換モジュール内へ挿入される。
【００３０】
図１１を参照して、２枚のディスクを同時に保持するディスクキャリアが示されている。これはグリップ機構を使って達成され、それはディスクキャリアがシステムを通じて移動する際にさまざまな処理チャンバ内で処理位置に２枚のディスクを保持する。ディスクキャリア内に存在するディスクが２枚でも１枚でも各処理チャンバ内で消費される時間は同じであるため、この設計はシステムのスループットを２倍にする。
【００３１】
図１２は図２に示されるシステム125により使用可能なサイクルを示す。このサイクルは１動作あたり５.１秒である。移送に１秒かかり、処理に４.１秒かかる。これらの時間は変化するが、システム125はこの時間制約に従い動作可能である。この速度での動作は１時間に７００枚の被覆基板を生成し、通常の１日８時間作業では月に１５０万枚以上のディスクを製造できる。
【００３２】
処理ステーション内での処理は詳細に説明されなかったが、この装置はこの点で真の利点を与えることが理解されよう。例えば、ディスクキャリアは処理ステーション内に進入し、処理中に多くの処理ステーションを通じて連続的に移動する。これは、パスバイ処理として知られている。これはある種の蒸着に対して有効である。２つまたはそれ以上の処理ステーションを結合することも可能であり、同じプロセスにおいてより多くの時間基板を処理することも可能である。したがって、ひとつの基板をある温度に上昇させるために２つまたはそれ以上の処理ステーションを使用する代わりに、同じ結果に対して多くの移動及び複数のステーションを通常必要とする単一ステーションまたはそれと同等なステーション内で所望の機能を実行するように、２つまたはそれ以上の処理ステーションがひとつの大きな処理ステーションに組み合わされる。処理時間はひとつのサイクルあたり通常約５秒かかるが、これはある処理動作に対しては非常に短い時間であるが他の処理動作に対しては長い時間である。したがって装置は動作を変更するようにプログラムされ得る。これは、本発明の装置において、ディスクキャリアをステーション内により長く置きことができるようかつ他の処理に要求される時間の２から３倍を必要とする処理を可能にするように、処理チャンバをより大きなステーションに結合することにより扱われるか、または適当に調節されたより少ない時間を要する作業に与えられるサイクルを遅らせることにより達成される。
【００３３】
本発明の好適実施例が説明されてきたが、特許請求の範囲に記載された発明の態様から離れることなく、さまざまな修正及び変更が可能であることは、当業者の知るところである。
【図面の簡単な説明】
【００３４】
【図１】図１は、従来の基板処理システムの平面図である。
【図２】図２は、本発明に従う２３個ステーションシステムの略示図である。
【図３】図３は、本発明に使用するためのひとつの処理モジュールの略示図である。
【図４Ａ】図４Aは、本発明の異なる処理モジュールへディスクを移送するために使用されるディスクキャリアの略示図である。
【図４Ｂ】図４Bは、ディスク移送機構の正面図である。
【図４Ｃ】図４Cは、ディスク移送機構の側面図である。
【図５Ａ】図５Aは、処理ステーションの支持構造体の略示図である。
【図５Ｂ】図５Bは、処理ステーションの水平断面図である。
【図６Ａ】図６Aは、本発明のマルチステーション小フットプリントシステムが円形システムと結合されるところのシステムの略示図である。
【図６Ｂ】図６Bは、同じ装置の側面略示図である。
【図７】図７A、B、C、D及びEは、基板及び関連するディスクキャリアが移動するプログラムされた経路を示す移送図である。
【図８Ａ】図８Aは、磁気被覆基板を形成する際に基板及び関連ディスクキャリアが移動する他のプログラムされた経路を示すディスク移送図である。
【図８Ｂ】図８Bは、磁気被覆基板を形成する際に基板及び関連ディスクキャリアが移動する他のプログラムされた経路を示すディスク移送図である。
【図８Ｃ】図８Cは、磁気被覆基板を形成する際に基板及び関連ディスクキャリアが移動する他のプログラムされた経路を示すディスク移送図である。
【図８Ｄ】図８Dは、磁気被覆基板を形成する際に基板及び関連ディスクキャリアが移動する他のプログラムされた経路を示すディスク移送図である。
【図８Ｅ】図８Eは、磁気被覆基板を形成する際に基板及び関連ディスクキャリアが移動する他のプログラムされた経路を示すディスク移送図である。
【図９】図９は、キャリア交換モジュールの略示図である。
【図１０】図１０A、B、C及びDは、キャリア交換シーケンスを示す。
【図１１】図１１は、２枚ディスク用のホルダを有する処理ステーションの略示図である。
【図１２】図１２は、システム動作サイクルを示すチャートである。
【図１】
2006517324.tif 000003
【図２】
2006517324.tif 000004
【図３】
2006517324.tif 000005
【図４Ａ】
2006517324.tif 000006
【図４Ｂ】
2006517324.tif 000007
【図４Ｃ】
2006517324.tif 000008
【図５Ａ】
2006517324.tif 000009
【図５Ｂ】
2006517324.tif 000010
【図６Ａ】
2006517324.tif 000011
【図６Ｂ】
2006517324.tif 000012
【図７】
2006517324.tif 000013
【図８Ａ】
2006517324.tif 000014
【図８Ｂ】
2006517324.tif 000015
【図８Ｃ】
2006517324.tif 000016
【図８Ｄ】
2006517324.tif 000017
【図８Ｅ】
2006517324.tif 000018
【図９】
2006517324.tif 000019
【図１０】
2006517324.tif 000020
【図１１】
2006517324.tif 000021
【図１２】
2006517324.tif 000022
【手続補正書】
【提出日】平成16年10月28日(2004.10.28)
【手続補正１】
【補正対象書類名】特許請求の範囲
【補正対象項目名】全文
【補正方法】変更
【補正の内容】
【特許請求の範囲】
【請求項１】
基板を磁気ディスクに処理するための基板処理システムであって、
カセット内の基板を処理システム及び真空環境内に送り込むための入口と、
前記カセットから１枚ずつ基板を持上げるためのリフタと、
基板が垂直方向に維持された状態で、個々に基板を処理するよう互いに隣接配置された処理ステーションと、
個々の基板が処理されてステーションからステーションへ前記処理ステーションを通じて移動する際に、処理ステーション内に基板を運びかつ垂直位置に基板を保持するためのディスクキャリアと、
前記リフタ上の基板をディスクキャリアへ移送するための移送装置と、
処理ステーションから処理ステーション及びアンロードゾーンへディスクキャリアを移動するための移送パス及びドライブであって、前記アンロードゾーンはディスクの処理後にディスクキャリアから処理済ディスクを除去するための及び前記システムの外へ移動されるよう処理済みディスクをカセットに戻すためのリフタを有する、ところの移送パス及びドライブと、
から成り、
前記処理ステーションは処理ステーションの第１層上に配置された処理ステーションの少なくとも第２層と積層されて配置され、その結果、２つの処理ステーションに対するフットプリントはひとつの処理ステーションに対するフットプリントより実質的に大きくはなく、縦方向に配置された２つの処理ステーションのフットプリントより小さい、ところのシステム。
【請求項２】
請求項１に記載のシステムであって、処理ステーションの第２層は処理ステーションの第１層の上に配置され、処理ステーション内で実行される処理は磁気ハードディスクを製造する、ところのシステム。
【請求項３】
請求項１に記載のシステムであって、処理ステーションの第２層は処理ステーションの第１層の上に配置され、処理ステーション内で実行される処理は磁気光学ディスクを製造する、ところのシステム。
【請求項４】
請求項１に記載のシステムであって、さらに、システム内で被覆処理に晒されたキャリアをきれいなディスクキャリアに交換するために、ディスクキャリアにより処理ステーションを通じて移動する経路に沿って配置されたディスクキャリア交換ステーションを含む、ところのシステム。
【請求項５】
請求項１に記載のシステムであって、ディスクキャリアの移動経路は順に処理ステーションから隣りの処理ステーションまでであり、第１レベルから第１レベルの処理後に第２レベルまでがエレベータ内にある、ところのシステム。
【請求項６】
請求項４に記載のシステムであって、前記ディスクキャリア交換ステーションは処理シーケンスの始めにおいて処理の初期レベルに配置され、きれいなディスクキャリアはサイクルを完了したキャリアと交換され、新しいディスクを受け取り、順に配列する、ところのシステム。
【請求項７】
請求項４に記載のシステムであって、ディスクキャリア交換ステーションは、後の処理を汚染するディスクキャリア上の蒸着を生じさせる処理でディスクを処理した後の処理シーケンスの位置に配置され、きれいなディスクキャリアは表面への蒸着を有するディスクキャリアと交換される、ところのシステム。
【請求項８】
請求項５に記載のシステムであって、ディスクキャリアの移動の経路は、上部レベルへディスクキャリアを持上げるためのエレベータ内にあり、その後上部レベルで順に処理ステーションから隣りの処理ステーションまでであり、上部レベルから上部レベルでの処理の後に下部レベルまでがリフト内である、ところのシステム。
【請求項９】
磁気ハードディスクを製造するための結合処理システムであって、
磁気ハードディスクを製造する際に使用される被覆材料で垂直位置の基板を処理するための積層型処理ステーションセットであって、処理ステーションは処理ステーションの他の層の上に配置された処理ステーションのひとつの層として直線的に配置されており、その結果第２ステーションは第１ステーションのすぐ上にある、ところの積層型処理ステーションセットと、
磁気ハードディスクを製造する際に使用される被覆材料で基板を処理するための円型処理ステーションセットと、
積層型処理ステーション内で処理された基板を、円型処理ステーションへ移送し、その後他のレベルの積層型処理ステーションを通じてシステムを出る位置へ連続的に戻すための送り装置と、
から成るシステム。
【請求項１０】
請求項９に記載のシステムであって、円型処理ステーションは中央真空装置の周辺にある、ところのシステム。
【請求項１１】
磁気ハードディスクを製造するための基板処理システムであって、
処理用基板のカセットを真空ロードロックを通じて大気状態から真空環境へ送るためのロードステーションと、
処理済の被覆磁気ディスクをカセット内へ戻し、真空ロードロックを通じて真空環境から大気状態へ戻すためのアンロードステーションと、
ロードステーションにおいてカセットから個々に基板を持上げ、基板がディスクキャリア内に配置されるところの第１ステーションへ基板を移送するためのリフタブレードと、
垂直位置で基板を保持しかつ基板を処理ステーションへ運ぶためのディスクキャリアと、
ディスクキャリア内の基板を処理するための処理ステーションと、
プログラムされた間隔で、ステーションからステーションへディスクキャリア内のディスクを移動するための移送システムと、
処理ステーションは２つのレベルで配置されており、一方が他方の上にあるところの処理ステーションと、
ディスクキャリアを第１レベルから第２レベルへ上下するための少なくともひとつのディスクキャリアと、
処理ステーションから処理ステーション及びアンロードステーションへディスクキャリアを横方向及び垂直方向に移送するための移送システムであって、真空ロードロックを通じてカセットを移送することによりアンロード開口を通じて真空環境から大気状態へ移送用アンロードカセット内でディスクが移動される、ところの移送システムと、
から成るシステム。
【請求項１２】
請求項１１に記載のシステムであって、処理ステーション内のディスクキャリアは、処理ステーション内で処理されている間、連続的に移動される、ところのシステム。
【請求項１３】
請求項１１に記載のシステムであって、任意のステーション内に配置されたディスクキャリア上のディスクが、システムの単一処理ステーション内での処理時間と結合処理ステーションの数との倍数と実質的に等しい時間間隔の間、ステーション内で実行される処理に従い処理されるように、ひとつまたはそれ以上の処理ステーションが内部接続されている、ところのシステム。
【請求項１４】
磁気ハードディスクを製造するための基板処理システムであって、
基板のカセットを大気状態からロードステーション内に送り込み、被覆済み磁気ディスクのカセットをアンロードステーションからシステムの外の大気状態に送り出すためのスロットと、
ロードステーションにおいてカセットから基板を持上げ、基板がディスクキャリアに配置されるところのステーションへ基板を移送するためのリフタブレードと、
垂直位置で基板を保持し、処理ステーションへ基板を運ぶためのディスクキャリアと、
ディスクホルダ上の基板を処理するための処理ステーションと、
プログラムされた間隔で順にステーションからステーションへディスクキャリアを移動するための移送システムと、
処理ステーションの第１レベルから処理ステーションの第２レベルへ、ディスクキャリアを持上げるためのディスクキャリアリフトと、
から成り、
処理ステーションは２つのレベルに配置されており、ひとつのレベルが他のレベルの上にあり、移送システムは処理ステーションから処理ステーションへ横方向にディスクキャリアを移送し、かつひとつのレベルから他のレベルへディスクキャリアを垂直方向に移送する、ところのシステム。
【請求項１５】
請求項１４に記載のシステムであって、さらに、システムを通じてキャリア上を移動するディスク上に被覆蒸着される間、システム内で使用されたキャリアをきれいなキャリアと置換することによりディスクキャリアを交換するためのステーションを含む、システム。
【請求項１６】
請求項１５に記載のシステムであって、ディスクキャリアが開放され、その後ディスクがディスクキャリアのジョーの間に配置され、処理ステーションを通じてディスクを運ぶためのディスクキャリア内のディスクをつかむためにジョーが閉じる、ところのシステム。
【請求項１７】
請求項１６に記載のシステムであって、ディスクは移送機構により、リフタブレードからディスクキャリアへ移動され、それは中央開口部内でディスクを保持することによりディスクを移送する、ところのシステム。
【請求項１８】
請求項１に記載のシステムであって、ディスクキャリアは一枚以上のディスクを運ぶ、ところのシステム。
【請求項１９】
他のディスク処理チャンバの上に配置されるよう設置されたディスク製造システム用の処理チャンバであって、
チャンバを真空排気するためにチャンバから伸びた真空ポンプと、
隣りのチャンバに取り付けられるように配置された一方側の開口部と、
チャンバ内での処理中に、他のチャンバから当該チャンバを分離するためのもう一方側の分離バルブと、
チャンバへのディスクキャリアの出し入れを助けるためのチャンバベースにある磁気手段と、
チャンバ内に配置されたディスクの両面処理が可能となるように、チャンバの正面及び背面に配置された処理ソースと、
上部ディスク処理チャンバ内でのディスクキャリアの移送または処理中に、下部チャンバ内のディスクキャリア内で他のディスクを処理できるように、そこから伸びる真空ポンプを有する、当該チャンバ下に配置された同様のチャンバと、
から成る処理チャンバ。
【請求項２０】
磁気ハードディスクを製造する方法であって、
真空チャンバ内に処理すべき基板を配置し、当該基板をロードチャンバへ持上げ、当該基板をロードチャンバにおいてディスクキャリアにロードする工程と、
基板及びディスクキャリアを第１レベルの少なくとも第１処理チャンバへ移動し、処理チャンバ内で基板を処理し、その後基板及びディスクキャリアをリフトへ移動する工程と、
基板及びディスクキャリアの高さを異なるレベルに変更し、新しいレベルの少なくとも一つの処理チャンバへ基板及びディスクキャリアを移動し、基板をディスクキャリアから分離し、ディスクを下降させ、真空環境からディスクを除去する工程と、
から成る方法。
【請求項２１】
請求項２０に記載の方法であって、ディスクの移動経路の変更にしたがって配置された処理ステーション内のディスクの汚染を避けるために、被覆されたディスクキャリアがきれいなディスクキャリアと交換される、ところの方法。
【請求項２２】
基板処理システムであって、
処理システムに入るための基板用の入口チャンバと、
処理システムを出るための基板用の出口チャンバと、
水平方向に伸長した処理ステーションの第１セットであって、各ステーションは基板処理用の第１セットの他の処理ステーションに隣接して位置合わせされる、ところの処理ステーションの第１セットと、
処理ステーションの第１セットと積層された処理ステーションの第２セットであって、処理ステーションの第２セットは処理ステーションの第１セット及び第２セットのフットプリントより小さい、ところの処理ステーションの第２セットと、
少なくともいくつかの処理ステーションの間を基板が移動し、少なくともいくつかの処理ステーション内で基板が処理されている間のような、移動及び処理中に基板を支持するためのキャリアであって、基板はキャリアにより垂直位置に維持されている、ところのキャリアと、
処理ステーションのひとつのレベルから他のレベルへ基板を昇降するためのエレベータシステムと、
入口チャンバから処理チャンバを通じ、エレベータシステムを介して、出口チャンバへ基板を移送するための移送手段と、
から成るシステム。
【請求項２３】
請求項２２に記載のシステムであって、処理ステーションの第１セットは２つのセクション内にあり、そのセクションの間に空間があり、その空間内には、一方の第１セクション内の処理ステーションから他方の第２セクション内の処理ステーションへ、キャリアから離れて基板を移送するためのスイングアームが配置されている、ところのシステム。
【請求項２４】
請求項２２に記載のシステムであって、２つのセクションのうちの第２セクション内の処理ステーションへスイングアームにより移送された基板は、第２セクション内の処理ステーションのきれいなキャリア内に配置され、その後、第２セクションの処理ステーション内で処理される、ところのシステム。
【請求項２５】
請求項２２に記載のシステムであって、処理ステーションの第１及び第２セットは、処理ステーションのグループの間に分離を含み、スイングアームが分離を横切ってキャリアから離れて基板を移送する手段を与える、ところのシステム。
【請求項２６】
請求項２４に記載のシステムであって、スイングアームによる分離を横切った基板の移送に関連して、第１キャリアから第２キャリアへ基板が搬送される、ところのシステム。
【請求項２７】
請求項２２に記載のシステムであって、さらに、処理ステーションを真空状態に維持するための手段を含む、システム。
【請求項２８】
他のディスク処理チャンバと積層されて配置されたディスク製造システム用の処理チャンバであって、
チャンバを真空排気するために当該チャンバから伸長した真空ポンプと、
隣りのチャンバに取り付けられるように配置された一方側の開口と、
当該チャンバ内で処理中に他のチャンバから当該チャンバを分離するための他方側の分離バルブと、
当該チャンバへのディスクキャリアの出し入れを助けるためのチャンバのベースにある磁気手段と、
当該チャンバ内に配置されたディスクの両面処理を可能にするようにチャンバの正面及び背面に配置された処理ソースと、
から成り、
処理チャンバは、製造システム内にあるとき、各処理チャンバ内でディスクキャリア内のディスクを処理することができるように、そこから伸びる個々の真空ポンプを有する同様のチャンバと、積層されて配置されるように適応されている、ところのシステム。
【手続補正書】
【提出日】平成18年3月31日(2006.3.31)
【手続補正１】
【補正対象書類名】特許請求の範囲
【補正対象項目名】全文
【補正方法】変更
【補正の内容】
【特許請求の範囲】
【請求項１】
基板処理システムであって、
前記基板処理システムに基板を送り込むための入口と、
前記基板処理システムから前記基板を取り出すための出口と、
水平方向に並ぶ処理ステーションの第1セットであって、各処理ステーションは第1セットの他の処理ステーションと整列しかつ隣接しているところの処理ステーションの第1セットと、
水平方向に並ぶ処理ステーションの第２セットであって、各処理ステーションは第２セットの他の処理ステーションと整列しかつ隣接しているところの処理ステーションの第２セットと、
前記処理ステーションの少なくともいくつかへまたはそれを通じて基板が移動する際、また基板が処理されている間のような移送及び処理中に、基板を支持するためのディスクキャリアであって、処理中前記基板は前記ディスクキャリアによって垂直位置に保持される、ところのディスクキャリアと、
から成り、
処理ステーションのひとつのセットから他のセットへ基板を上昇及び／または下降させるためのエレベータと、前記入口から前記処理ステーションを通じて基板を移送し、処理ステーションのひとつのセットから処理ステーションの他のセットへ前記エレベータを使って基板を移送し、前記出口から基板を搬出するための移送装置とを含み、処理ステーションの第２セットが概して処理ステーションの第1セットのフットプリント内にあるように、処理ステーションの第1セット及び第２セットが積層されて配置される点に特徴を有するところの基板処理システム。
【請求項２】
基板の両面を磁気ディスクに加工するための請求項１に記載の基板処理システムであって、処理ステーションは、ディスクキャリア内の基板に対して、磁気ディスクの製造のために基板を被覆する処理を実行する、ところの基板処理システム。
【請求項３】
基板の両面を光磁気ディスクに加工するための請求項１に記載の基板処理システムであって、処理ステーションは、ディスクキャリア内の基板に対して、光磁気ディスクを製造するための処理を実行する、ところの基板処理システム。
【請求項４】
請求項１から３のいずれかに記載の基板処理システムであって、前記処理ステーションは真空状態にあり、前記処理ステーション内で実行される処理は真空状態で実行される、基板処理システム。
【請求項５】
請求項１から４のいずれかに記載の基板処理システムであって、複数の基板を前記処理システム内に搬入するための入口と、複数の基板を前記処理システムから搬出するための出口を含む、基板処理システム。
【請求項６】
請求項５に記載の基板処理システムであって、前記処理システムを通じて基板を移送するためのディスクキャリア内に一枚ずつ基板を配置するための、及び、前記処理システムから除去する前に、ディスクキャリアから基板を一枚ずつ除去しそれをホルダ内に戻すための手段を含む、基板処理システム。
【請求項７】
請求項１から６のいずれかに記載の基板処理システムであって、システム内で被覆処理に晒されたディスクキャリアをきれいなディスクキャリアと交換するための、前記処理ステーションを通じた移送経路に沿って配置されたディスクキャリア交換ステーションを含む、基板処理システム。
【請求項８】
請求項１に記載の磁気ディスクを製造するための基板処理システムであって、ディスクキャリアの移送経路は、ひとつの垂直面内でディスクキャリア内に基板を保持しながら処理ステーションから隣りの処理ステーションへ順に移送し、エレベータにより処理が終了した第1レベルから第２レベルへ移送するまでである、ところの基板処理システム。
【請求項９】
請求項７に記載の基板処理システムであって、前記ディスクキャリア交換ステーションは、処理シーケンスの始めにおいて処理の初期レベルに配置され、多くの処理ステーションでの処理を経たディスクキャリアがきれいなディスクキャリアと交換される、ところの基板処理システム。
【請求項１０】
請求項１から９のいずれかに記載の基板処理システムであって、ディスクキャリアは前記システムを通じた移送及び処理のために一枚以上の基板を保持する、ところの基板処理システム。
【請求項１１】
請求項１に記載の基板処理システムであって、前記ディスクキャリアは前記処理ステーション内において処理されながら、前記処理ステーション内を連続的に移動する、ところの基板処理システム。
【請求項１２】
請求項１１に記載の基板処理システムであって、任意の処理ステーション内に配置されたディスクキャリア上のディスクが、システム内の単一の処理ステーション内での処理時間と接続された処理ステーションの数とを掛けた時間と実質的に等しい時間間隔の間、前記処理ステーション内で実行される処理にしたがって処理されるように、ひとつまたはそれ以上の処理ステーションが内部接続されている、ところの基板処理システム。
【請求項１３】
請求項６に記載の基板処理システムであって、中央開口部内でディスクを保持することによって前記ディスクを移送する移送機構により、基板がディスクキャリア内に移送される、ところの基板処理システム。
【請求項１４】
請求項１から６のいずれかに記載の基板処理システムであって、処理ステーションの前記第1セット及び前記第２セットは、処理ステーションの集合どうしのセパレーションを含み、スイングアームは前記セパレーションを横切ってディスクキャリアから離れた基板を移送する手段を与える、ところの基板処理システム。
【請求項１５】
請求項１４に記載の基板処理システムであって、前記セパレーションを横切る基板の移送に関連して、前記スイングアームにより、基板を第1ディスクキャリアから第２ディスクキャリアへ移送する、ところの基板処理システム。
【請求項１６】
請求項１に記載の基板処理システムであって、処理ステーションの前記第1セット及び第２セットは処理ステーションの円形セットに接続されており、基板の処理は、処理ステーションの前記円形セット内での処理を含む、ところの基板処理システム。
【請求項１７】
請求項１から１６のいずれかに記載の基板処理システムであって、ディスクキャリアを処理ステーションに出し入れする際に補助するために、個々の処理ステーションのベースに磁気手段を含む、基板処理システム。
【請求項１８】
請求項６に記載の基板処理システムであって、ディスクキャリアが開かれ、その後基板がディスクキャリアのジョーの間に配置され、ジョーは処理ステーションを通じて基板を運ぶためにディスクキャリア内で基板を把持するよう基板に密接している、ところの基板処理システム。
【請求項１９】
請求項１から２０のいずれかに記載の基板処理システムであって、処理ステーションには、前記処理ステーション内部を真空排気するための真空ポンプと、隣りの処理ステーションに取り付けられて配置された前記処理ステーションの一方側の開口部と、前記処理ステーション内での処理中に他の処理ステーションからチャンバを分離するための他方側の分離バルブとが配設されている、ところの基板処理システム。
【請求項２０】
請求項５に記載の磁気ディスクを製造するための基板処理システムであって、ディスクキャリアの移送経路は、異なるレベルまでディスクキャリアを昇降するためのエレベータまでと、その後第２レベルで順に処理ステーションから隣りの処理ステーションまでと、リフト内での第２レベルから前記第２レベルでの処理後の第１レベルまでである、ところの基板処理システム。
【請求項２１】
請求項７に記載の基板処理システムであって、前記ディスクキャリア交換ステーションは、次のプロセスを汚染するような蒸着をディスクキャリア上に生成するプロセスにおいて基板を処理した後のプロセスシーケンスの位置に配置され、表面上に蒸着を有するディスクキャリアがきれいなディスクキャリアと交換される、ところの基板処理システム。
【請求項２２】
他の基板処理ステーションと積層されて配置されるよう設置された請求項１から２１のいずれかに記載の基板処理システム用の処理チャンバであって、
前記処理ステーションを真空排気するための、前記処理ステーションに接続された真空ポンプと、
隣りの処理ステーションに取り付けられるよう配置された、前記処理ステーションの一方側の開口部と、
前記処理ステーション内での処理中に他のステーションから当該ステーションを分離するための、処理ステーションの他方側に配置された分離バルブと、
前記処理ステーションにディスクキャリアを出し入れして移送する際に補助するための、前記処理ステーションのベースに設けられた磁気手段と、
前記処理ステーションにおいて、ディスクキャリア内に同時に配置されたひとつまたはそれ以上の基板の両面処理を可能にするための、前記処理ステーションの反対側の壁に配置された処理ソースと、
から成り、
前記処理ステーションは、製造システム内に配置される際、前記処理ステーションの各々内のディスクキャリア内の基板をアクティブに処理することができるように、そこに接続された個々の真空ポンプを有する同様のステーションと、積層されかつ隣接する関係で配置されるよう適応されている、ところの処理チャンバ。
【請求項２３】
被覆された基板を製造するための方法であって、
真空チャンバ内に処理されるべき基板を配置する工程と、
前記真空チャンバ内のディスクキャリア内に基板をロードする工程と、
第１レベルにある少なくとも第１処理チャンバへ、前記ディスクキャリア内の前記基板を移送し、垂直位置で前記基板ホルダを保持しながら、前記処理チャンバ内で前記基板の両面を処理する工程と、
前記基板をエレベータへ移送する工程と、
前記エレベータにより前記基板を前記第１レベルから処理チャンバの異なるレベルへ移送する工程と、
新しいレベルにある少なくともひとつの処理チャンバ内に基板を移送し、ディスクキャリア内で垂直位置に基板を保持しながら、新しいレベルの前記処理チャンバ内において前記基板の両面を処理する工程と、
ディスクキャリア内の基板を他の処理ステーションへ移送し、その後前記ディスクキャリアから前記基板を分離する工程と、
真空環境から前記基板を除去する工程と、
から成る方法。
【請求項２４】
請求項２３に記載の方法であって、後続の処理ステーション内でのディスクの汚染を避けるために、処理チャンバ内での基板処理中に存在していたディスクキャリアをきれいなディスクキャリアと交換する、ところの方法。
【請求項２５】
請求項２３または２４に記載の方法であって、ひとつ以上の基板が、処理ステーションでの処理操作を通じて一度に一枚以上の基板を担持するよう適応されたディスクキャリアを使用することにより処理される、ところの方法。
【国際調査報告】
2006517324.tif 000023